(57)【特許請求の範囲】
【請求項１】
デジタル画像上の屋外の緑の被写体に対応するホワイトバランス評価値が分布する、白抽出範囲外のエリアを含む第１のエリアを予め設定する第１のエリア設定手段と、
デジタル画像上の屋外の緑の被写体に対応するホワイトバランス評価値が分布する、白抽出範囲に相当する第２のエリアを予め複数設定する第２のエリア設定手段と、
デジタル画像からホワイトバランス評価値を取得するホワイトバランス評価値取得手段と、
前記ホワイトバランス評価値取得手段により取得したホワイトバランス評価値が白抽出範囲内か否かを判定し、前記白抽出範囲内であると判定されたホワイトバランス評価値を基に第１のホワイトバランス補正係数を算出する第１のホワイトバランス補正係数算出手段と、
前記ホワイトバランス評価値取得手段により取得したホワイトバランス評価値が前記第１のエリアに分布するか否かを判定し、前記第１のエリアに分布するホワイトバランス評価値の個数を取得する第１のエリア判定手段と、
前記ホワイトバランス評価値が複数の前記第２のエリアのいずれかに分布するか否かを判定し、前記複数の第２のエリアの各第２のエリアに分布するホワイトバランス評価値の個数をそれぞれ取得する第２のエリア判定手段と、
前記第１のエリアと前記複数の第２のエリアのうち、前記第１のエリア判定手段と前記第２のエリア判定手段によって取得されたホワイトバランス評価値の個数が多い上位複数のエリアを求める上位エリア判定手段と、
前記上位エリア判定手段により求められた上位複数のエリアに分布するホワイトバランス評価値と、前記第１のホワイトバランス補正係数を基に、第２のホワイトバランス補正係数を算出する第２のホワイトバランス補正係数算出手段と、を備え、
前記上位エリア判定手段により求められた上位複数のエリアの各エリアに分布するホワイトバランス評価値の個数を基に、前記デジタル画像が屋外のシーンに対応するか否かに関する屋外情報を求めることを特徴とする画像処理装置。
【請求項２】
前記屋外情報として屋外加重率を求める屋外加重率算出手段を更に備え、
前記第２のホワイトバランス補正係数算出手段は、高色温度光源に対応したホワイトバランス係数と前記第１のホワイトバランス補正係数との前記屋外加重率に基づく加重平均により前記第２のホワイトバランス補正係数を算出することを特徴とする請求項１に記載の画像処理装置。
【請求項３】
前記第２のエリア判定手段によって取得されたホワイトバランス評価値の個数それぞれに対して重み付けを下げる処理を行う重み付け手段を更に備え、
前記上位エリア判定手段は、前記第１のエリア判定手段によって取得されたホワイトバランス評価値の個数と、前記重み付け手段により重み付けされたホワイトバランス評価値の個数とを用いて、前記第１のエリアと前記複数の第２のエリアのうち、ホワイトバランス評価値の個数が多い上位複数のエリアを求め、
前記屋外加重率算出手段は、前記第１のエリア判定手段によって取得されたホワイトバランス評価値の個数と、前記重み付け手段により重み付けされたホワイトバランス評価値の個数とを用いて、前記上位エリア判定手段により求められた上位複数のエリアの各エリアに分布するホワイトバランス評価値の個数を基に前記屋外加重率を求めることを特徴とする請求項２に記載の画像処理装置。
【請求項４】
前記第２のエリア判定手段は、前記ホワイトバランス評価値が白色蛍光灯エリア及び昼白色蛍光灯エリアのいずれかに分布するか否かを判定することを特徴とする請求項１から３のいずれか１項に記載の画像処理装置。
【請求項５】
光学系から入射した光を電気信号に変換して前記デジタル画像として出力する撮像手段を更に備え、
前記画像処理装置はデジタルカメラであることを特徴とする請求項１から４のいずれか１項に記載の画像処理装置。
【請求項６】
デジタル画像上の屋外の緑の被写体に対応するホワイトバランス評価値が分布する、白抽出範囲外のエリアを含む第１のエリアを予め設定する第１のエリア設定処理と、
デジタル画像上の屋外の緑の被写体に対応するホワイトバランス評価値が分布する、白抽出範囲に相当する第２のエリアを予め複数設定する第２のエリア設定処理と、
デジタル画像からホワイトバランス評価値を取得するホワイトバランス評価値取得処理と、
前記ホワイトバランス評価値取得処理により取得したホワイトバランス評価値が白抽出範囲内か否かを判定し、前記白抽出範囲内であると判定されたホワイトバランス評価値を基に第１のホワイトバランス補正係数を算出する第１のホワイトバランス補正係数算出処理と、
前記ホワイトバランス評価値取得処理により取得したホワイトバランス評価値が前記第１のエリアに分布するか否かを判定し、前記第１のエリアに分布するホワイトバランス評価値の個数を取得する第１のエリア判定処理と、
前記ホワイトバランス評価値が複数の前記第２のエリアのいずれかに分布するか否かを判定し、前記複数の第２のエリアの各第２のエリアに分布するホワイトバランス評価値の個数をそれぞれ取得する第２のエリア判定処理と、
前記第１のエリアと前記複数の第２のエリアのうち、前記第１のエリア判定処理と前記第２のエリア判定処理によって取得されたホワイトバランス評価値の個数が多い上位複数のエリアを求める上位エリア判定処理と、
前記上位エリア判定処理により求められた上位複数のエリアの各エリアに分布するホワイトバランス評価値の個数を基に、前記デジタル画像が屋外のシーンに対応するか否かに関する屋外情報を求める処理と、
前記上位エリア判定処理により求められた上位複数のエリアに分布するホワイトバランス評価値と、前記第１のホワイトバランス補正係数を基に、第２のホワイトバランス補正係数を算出する第２のホワイトバランス補正係数算出処理と、を行うことを特徴とする画像処理方法。
【請求項７】
デジタル画像上の屋外の緑の被写体に対応するホワイトバランス評価値が分布する、白抽出範囲外のエリアを含む第１のエリアを予め設定する第１のエリア設定処理と、
デジタル画像上の屋外の緑の被写体に対応するホワイトバランス評価値が分布する、白抽出範囲に相当する第２のエリアを予め複数設定する第２のエリア設定処理と、
デジタル画像からホワイトバランス評価値を取得するホワイトバランス評価値取得処理と、
前記ホワイトバランス評価値取得処理により取得したホワイトバランス評価値が白抽出範囲内か否かを判定し、前記白抽出範囲内であると判定されたホワイトバランス評価値を基に第１のホワイトバランス補正係数を算出する第１のホワイトバランス補正係数算出処理と、
前記ホワイトバランス評価値取得処理により取得したホワイトバランス評価値が前記第１のエリアに分布するか否かを判定し、前記第１のエリアに分布するホワイトバランス評価値の個数を取得する第１のエリア判定処理と、
前記ホワイトバランス評価値が複数の前記第２のエリアのいずれかに分布するか否かを判定し、前記複数の第２のエリアの各第２のエリアに分布するホワイトバランス評価値の個数をそれぞれ取得する第２のエリア判定処理と、
前記第１のエリアと前記複数の第２のエリアのうち、前記第１のエリア判定処理と前記第２のエリア判定処理によって取得されたホワイトバランス評価値の個数が多い上位複数のエリアを求める上位エリア判定処理と、
前記上位エリア判定処理により求められた上位複数のエリアの各エリアに分布するホワイトバランス評価値の個数を基に、前記デジタル画像が屋外のシーンに対応するか否かに関する屋外情報を求める処理と、
前記上位エリア判定処理により求められた上位複数のエリアに分布するホワイトバランス評価値と、前記第１のホワイトバランス補正係数を基に、第２のホワイトバランス補正係数を算出する第２のホワイトバランス補正係数算出処理と、をコンピュータに実行させることを特徴とする画像処理プログラム。
【請求項８】
請求項７に記載の画像処理プログラムをコンピュータに実行可能に記録した記録媒体。
【発明の詳細な説明】
【技術分野】
【０００１】
本発明は、画像処理装置、画像処理方法、画像処理プログラムおよび該画像処理プログラムをコンピュータに実行可能に記録した記録媒体に関する。
【背景技術】
【０００２】
ＣＣＤ（Charge Coupled Device：電荷結合素子）イメージセンサ等を撮像素子として用いた撮像装置等で撮影されるデジタル画像に関し、光源の色温度によるＣＣＤの出力信号の色変化を、人間の目に不自然に感じさせないように補正するホワイトバランス（White Balance）補正は、必須の機能の一つである。
【０００３】
ホワイトバランス補正では、屋外（晴天）、曇天（日陰）、白熱灯、蛍光灯等の撮影シーン（すなわち、光源）を判断して、撮影シーン（単に、シーンともいう）に応じた最適なホワイトバランスゲインを決定し、ホワイトバランス補正を実行する技術が知られているが、例えば、日陰（曇天）で緑のあるシーンと室内での蛍光灯下のシーンとでは明るさ（照度）及び色の分布が似ているため識別が困難であることが知られている。
【０００４】
そのため、撮影シーンを、屋外の緑があるシーンについて蛍光灯下のシーンと誤って判定し、屋外の緑があるシーンについてホワイトバランス補正を行った結果、緑を白く補正しようして全体的に画像がマゼンタになってしまう場合があった。
【０００５】
このように、従来のホワイトバランス補正技術では、屋外の緑があるシーン（屋外）と蛍光灯下のシーン（室内）との判定（屋外判定）に失敗してしまい、その判定に基づいて行われるホワイトバランス補正を精度よく行うことができない場合があった。
【０００６】
このような問題に対し、例えば、特許文献１には、被写体の模様に関する情報（周波数成分やエッジ量成分）に基づいて光源を推定して、ホワイトバランス補正を実行するホワイトバランス補正装置が開示されている。
【０００７】
また、特許文献２には、照度情報や色温度情報などの特徴情報に基づいて、多次元空間における識別境界を規定し、該識別境界により屋外判定して、判定結果に応じたホワイトバランス補正を実行する画像処理装置が開示されている。
【０００８】
また、特許文献３には、色相データの分布から最小自乗法により回帰直線を求め、回帰直線の傾きに基づいて、緑シーンであるかどうかを判断して、ホワイトバランス補正を行うデジタルカメラが開示されている。
【発明の概要】
【発明が解決しようとする課題】
【０００９】
しかしながら、上記特許文献に記載のように、ホワイトバランス補正を行うためにエッジ量成分などを検出方式では、処理量が増大し、処理時間の増加、高コスト化（ＣＰＵ性能、メモリ容量の増大などによる）となるという問題がある。
【００１０】
また、特徴情報に基づく識別境界や、色相データの分布に基づく最小自乗法による回帰直線によって、一律に屋外の緑があるシーン（屋外）と蛍光灯下のシーン（室内）との屋外判定を行うことは、被写体によっては難しく、屋外判定を正確に行い、適切なホワイトバランス補正を行うことが困難な場合があった。
【００１１】
そこで本発明は、処理負荷が少なく、高精度で安定した、撮影シーンの屋外判定を行うことができる画像処理装置、画像処理方法、画像処理プログラムおよび該画像処理プログラムをコンピュータに実行可能に記録した記録媒体を提供することを目的とする。
【課題を解決するための手段】
【００１２】
かかる目的を達成するため、本発明に係る画像処理装置は、デジタル画像上の屋外の緑の被写体に対応するホワイトバランス評価値が分布する、白抽出範囲外のエリアを含む第１のエリアを予め設定する第１のエリア設定手段と、デジタル画像上の屋外の緑の被写体に対応するホワイトバランス評価値が分布する、白抽出範囲に相当する第２のエリアを予め複数設定する第２のエリア設定手段と、デジタル画像からホワイトバランス評価値を取得するホワイトバランス評価値取得手段と、前記ホワイトバランス評価値取得手段により取得したホワイトバランス評価値が白抽出範囲内か否かを判定し、前記白抽出範囲内であると判定されたホワイトバランス評価値を基に第１のホワイトバランス補正係数を算出する第１のホワイトバランス補正係数算出手段と、前記ホワイトバランス評価値取得手段により取得したホワイトバランス評価値が前記第１のエリアに分布するか否かを判定し、前記第１のエリアに分布するホワイトバランス評価値の個数を取得する第１のエリア判定手段と、前記ホワイトバランス評価値が複数の前記第２のエリアのいずれかに分布するか否かを判定し、前記複数の第２のエリアの各第２のエリアに分布するホワイトバランス評価値の個数をそれぞれ取得する第２のエリア判定手段と、前記第１のエリアと前記複数の第２のエリアのうち、前記第１のエリア判定手段と前記第２のエリア判定手段によって取得されたホワイトバランス評価値の個数が多い上位複数のエリアを求める上位エリア判定手段と、前記上位エリア判定手段により求められた上位複数のエリアに分布するホワイトバランス評価値と、前記第１のホワイトバランス補正係数を基に、第２のホワイトバランス補正係数を算出する第２のホワイトバランス補正係数算出手段と、を備え、前記上位エリア判定手段により求められた上位複数のエリアの各エリアに分布するホワイトバランス評価値の個数を基に、前記デジタル画像が屋外のシーンに対応するか否かに関する屋外情報を求めるものである。
【発明の効果】
【００１３】
本発明によれば、処理負荷が少なく、高精度で安定した、撮影シーンの屋外判定を行うことができる。
【図面の簡単な説明】
【００１４】
【図１】本発明に係る画像処理装置の一実施形態であるデジタルカメラの外観図の一例であって、（ａ）は上面図、（ｂ）は正面図、（ｃ）は裏面図を示す。
【図２】デジタルカメラの機能ブロック図の一例である。
【図３】ホワイトバランス制御に係るＣＰＵの制御ブロックの模式図である。
【図４】ホワイトバランス処理のフローチャート（第１の実施形態）である。
【図５】Ｇ／Ｒをｘ軸、Ｇ／Ｂをｙ軸とする２次元の色座標における白検出枠、緑評価値判定の説明図である。
【図６】Ｇ／Ｒをｘ軸、Ｇ／Ｂをｙ軸とする２次元の色座標における蛍光灯評価値判定の説明図である。
【図７】ホワイトバランス処理のフローチャート（第２の実施形態）である。
【発明を実施するための形態】
【００１５】
以下、本発明に係る構成を図１から図７に示す実施の形態に基づいて詳細に説明する。
【００１６】
［第１の実施形態］
本実施形態に係る画像処理装置は、デジタル画像上の屋外の緑の被写体に対応するホワイトバランス評価値が分布する、白抽出範囲外のエリアを含む第１のエリア（緑エリア）を予め設定する第１のエリア設定手段（緑エリア設定手段２１１）と、デジタル画像上の屋外の緑の被写体に対応するホワイトバランス評価値が分布する、白抽出範囲に相当する第２のエリア（蛍光灯エリア）を予め複数設定する第２のエリア設定手段（蛍光灯エリア設定手段２１２）と、デジタル画像からホワイトバランス評価値を取得するホワイトバランス評価値取得手段（ホワイトバランス評価値取得手段２０３）と、ホワイトバランス評価値取得手段により取得したホワイトバランス評価値が第１のエリアに分布するか否かを判定し、第１のエリアに分布するホワイトバランス評価値の個数を取得する第１のエリア判定手段（緑評価値判定手段２０６）と、ホワイトバランス評価値が複数の第２のエリアのいずれかに分布するか否かを判定し、複数の第２のエリアの各第２のエリアに分布するホワイトバランス評価値の個数をそれぞれ取得する第２のエリア判定手段（蛍光灯評価値判定手段２０７）と、第１のエリアと複数の第２のエリアのうち、第１のエリア判定手段と第２のエリア判定手段によって取得されたホワイトバランス評価値の個数が多い上位複数のエリアを求める上位エリア判定手段（上位エリア判定手段２０８）と、を備え、上位エリア判定手段により求められた上位複数のエリアの各エリアに分布するホワイトバランス評価値の個数を基に、デジタル画像が屋外のシーンに対応するか否かに関する屋外情報を求めるものである（屋外加重率算出手段２０９）。尚、括弧内は、実施形態での文言との対応を示している。
【００１７】
なお、本実施形態では、画像処理装置として、撮像装置（デジタルカメラ）を例に説明するが、本発明に係る画像処理装置はこれに限定されるものではなく、携帯電話、パーソナルコンピュータ、プリンタなどの画像形成装置等の電子機器に適用することができる。すなわち、デジタル画像（ＲＡＷ−ＲＧＢデータ）を入力して、後述するホワイトバランス補正制御を実行できる電子機器で有れば良い。
【００１８】
（撮像装置の構成）
図１はデジタルカメラの外観図を示し、（ａ）はカメラ上面図、（ｂ）はカメラ正面図、（ｃ）はカメラ裏面図を示している。
【００１９】
図１（ａ）に示すように、デジタルカメラは、上面に、サブＬＣＤ１と、レリーズシャッター２（ＳＷ１）と、モードダイヤル４（ＳＷ２）とを有する。
【００２０】
また、図１（ｂ）に示すように、デジタルカメラは、正面に、ストロボ発光部３と、測距ユニット５と、リモコン受光部６と、レンズユニット７と、光学ファインダ（正面）１１とを有する。また、メモリカードスロットル２３は、ＳＤカード等のメモリカード３４を挿入するスロットルを示し、カメラ側面に設けられる。
【００２１】
また、図１（ｃ）に示すように、デジタルカメラは、裏面に、ＡＦＬＥＤ（オートフォーカスＬＥＤ）８と、ストロボＬＥＤ９と、ＬＣＤモニタ（表示手段）１０と、光学ファインダ（裏面）１１と、ズームボタン（ズームレバー）ＴＥＬＥ１２（ＳＷ４）と、電源スイッチ１３（ＳＷ１３）と、ズームボタン（ズームレバー）ＷＩＤＥ１４（ＳＷ３）と、セルフタイマ／削除スイッチ１５（ＳＷ６）とを有する。
【００２２】
さらに、メニュースイッチ１６（ＳＷ５）と、ＯＫスイッチ１７（ＳＷ１２）と、左／画像確認スイッチ１８（ＳＷ１１）と、下／マクロスイッチ１９（ＳＷ１０）と、上／ストロボスイッチ２０（ＳＷ７）と、右スイッチ２１（ＳＷ８）と、画像を表示するディスプレイスイッチ２２（ＳＷ９）とを有する。
【００２３】
図２は図１に示したデジタルカメラの制御系の機能ブロック図を示している。以下、デジタルカメラ内部のシステム構成について説明する。
【００２４】
図２に示すように、このデジタルカメラ内には、レンズユニット７に設置した撮影レンズ系を通して入射される被写体画像が受光面上に結像する固体撮像素子としてのＣＣＤ１２１、ＣＣＤ１２１から出力される電気信号（アナログＲＧＢ画像信号）をデジタル信号に処理するフロントエンドＩＣ（Ｆ／Ｅ）１２０、フロントエンドＩＣ（Ｆ／Ｅ）１２０から出力されるデジタル信号を処理する信号処理ＩＣ１１０、データを一時的に格納するＳＤＲＡＭ３３、制御プログラム等が記憶されたＲＯＭ３０、モータドライバ３２等が設けられている。
【００２５】
レンズユニット７は、ズームレンズ、フォーカスレンズおよびメカニカルシャッタ等からなり、モータドライバ３２によって駆動される。モータドライバ３２は、信号処理ＩＣ１１０の内部に含まれるマイクロコンピュータ（ＣＰＵ、制御部）１１１によって制御される。
【００２６】
ＣＣＤ１２１は、光学画像を光電変換するための固体撮像素子であって、ＣＣＤを構成する複数の画素上に色分解フィルタとしてのＲＧＢ原色フィルタが配置されており、ＲＧＢ３原色に対応した電気信号（アナログＲＧＢ画像信号）が出力される。
【００２７】
フロントエンドＩＣ（Ｆ／Ｅ）１２０は、ＣＣＤ出力電気信号（アナログ画像データ）についてサンプリングホールド（相関二重サンプリング）を行うＣＤＳ１２２、このサンプリングされたデータのゲインを調整するＡＧＣ（Auto Gain Control）１２３、デジタル信号変換を行うＡ／Ｄ変換機（Ａ／Ｄ）１２４、及びＣＣＤＩ／Ｆ１１２より垂直同期信号（ＶＤ）、水平同期信号（ＨＤ）を供給されＣＣＤ１２１とＦ／Ｅ１２０との駆動タイミング信号を発生するＴＧ（タイミングジェネレータ：制御信号発生器）１２５を有する。
【００２８】
発振器（クロックジェネレータ）は、ＣＰＵ１１１を含む信号処理ＩＣ１１０のシステムクロックとＴＧ１２５等にクロックを供給している。ＴＧ１２５は発振器のクロックを受けて、ピクセル同期をするためのピクセルクロックを信号処理ＩＣ１１０内のＣＣＤＩ／Ｆ１１２に供給する。
【００２９】
Ｆ／Ｅ１２０から信号処理ＩＣ１１０に入力されたデジタル信号は、ＣＣＤＩ／Ｆ１１２を介して、メモリコントローラ１１５によりＳＤＲＡＭ３３にＲＧＢデータ（ＲＡＷ−ＲＧＢ）として一時保管される。
【００３０】
信号処理ＩＣ１１０は、システム制御を行うＣＰＵ１１１、ＣＣＤＩ／Ｆ１１２、リサイズ処理部１１３、メモリコントローラ１１５、表示出力制御部１１６、圧縮伸張部１１７、メディアＩ／Ｆ部１１８、ＹＵＶ変換部１１９等から構成されている。
【００３１】
ＣＣＤＩ／Ｆ１１２は、垂直同期信号（ＶＤ）、水平同期信号（ＨＤ）の出力を行い、その同期信号に合わせてＡ／Ｄ１２４から入力されるデジタル（ＲＧＢ）信号を取り込んで、メモリコントローラ１１５経由でＳＤＲＡＭ３３にＲＧＢデータの書き込みを行う。
【００３２】
表示出力制御部１１６はＳＤＲＡＭ３３に書き込まれた表示用データを表示部に送り、撮影した画像の表示を行う。表示出力制御部１１６は、デジタルカメラが内蔵しているＬＣＤモニタ１０に表示することも、ＴＶビデオ信号として出力して外部装置に表示することも可能である。
【００３３】
ここでいう、表示用データとは、自然画像のＹＣｂＣｒと、撮影モードアイコンなどを表示するＯＳＤ（オンスクリーンディスプレイ）データであり、いずれもＳＤＲＡＭ３３上に置かれたデータをメモリコントローラ１１５が読み出して表示出力制御部１１６に送り、表示出力制御部１１６で合成したデータをビデオデータとして出力する。
【００３４】
圧縮伸張部１１７は、記録時はＳＤＲＡＭ３３に書き込まれたＹＣｂＣｒデータを圧縮してＪＰＥＧ符号化されたデータを出力し、再生時は読み出したＪＰＥＧ符号化データをＹＣｂＣｒデータに伸張して出力する。
【００３５】
メディアＩ／Ｆ１１８は、ＣＰＵ１１１の指示により、メモリカード３４内のデータをＳＤＲＡＭ３３に読み出したり、ＳＤＲＡＭ３３上のデータをメモリカード３４に書き込んだりする。
【００３６】
ＹＵＶ変換部１１９は、ＣＰＵ１１１から設定された画像現像処理パラメータに基づき、ＳＤＲＡＭ３３に一時保管されたＲＧＢデータを輝度Ｙと色差ＣｂＣｒデータ（ＹＵＶデータ）に変換処理し、ＳＤＲＡＭ３３へ書き戻す。
【００３７】
リサイズ処理部１１３は、ＹＵＶデータを読み出して、記録するために必要なサイズへのサイズ変換、サムネイル画像へのサイズ変換、表示に適したサイズへのサイズ変換などを行う。
【００３８】
また、全体の動作を制御する制御部であるＣＰＵ１１１は、起動時にＲＯＭ３０に格納されたカメラの制御を行う制御プログラムおよび制御データを、例えばＳＤＲＡＭ３３にロードし、そのプログラムコードに基づいて全体の動作を制御する。
【００３９】
ＣＰＵ１１１は、操作部３１のボタンキー等による指示、あるいは図示しないリモコン等の外部動作指示、あるいはパーソナルコンピュータ等の外部端末からの通信による通信動作指示に従い、撮像動作制御、画像現像処理パラメータの設定、メモリコントロール、表示制御等を行う。
【００４０】
操作部３１は、撮影者がデジタルカメラの動作指示を行うためのものであり、撮影者の操作によって所定の動作指示信号が制御部に入力される。例えば、図１に示すように、撮影を指示する２段（半押し、全押し）レリーズシャッター２、光学ズームおよび電子ズーム倍率を設定するズームボタン１２,１４等の各種ボタンキーを備えている。
【００４１】
操作部３１よりデジタルカメラの電源キーがオンされたことを検出すると、ＣＰＵ１１１は各ブロックに所定の設定を行う。この設定により、レンズユニット７を介してＣＣＤ１２１で受光した画像は、デジタル映像信号に変換されて信号処理ＩＣ１１０に入力される。
【００４２】
信号処理ＩＣ１１０へ入力されたデジタル信号はＣＣＤＩ／Ｆ１１２に入力される。ＣＣＤＩ／Ｆ１１２では光電変換されたアナログ信号に黒レベル調整等の処理が行われて、ＳＤＲＡＭ３３に一旦保存される。このＳＤＲＡＭ３３に保存されたＲＡＷ−ＲＧＢ画像データは、ＹＵＶ変換部１１９に読み出されて、ガンマ変換処理、ホワイトバランス処理、エッジエンハンス処理、ＹＵＶ変換処理が行われＹＵＶ画像データとしてＳＤＲＡＭ３３へ書き戻される。
【００４３】
ＹＵＶ画像データは表示出力制御部１１６に読み出され、例えば出力先がＮＴＳＣシステムのＴＶであれば、リサイズ処理部１１３により、そのシステムに合わせた水平・垂直の変倍処理が施され、ＴＶに出力される。この処理がＶＤ毎に行われることで、スチル撮影前の確認用の表示であるモニタリングが行われる。
【００４４】
（撮像装置の動作）
次に、デジタルカメラのモニタリング動作および静止画撮影動作について説明する。このデジタルカメラは、静止画撮影モード時には、以下に説明するようなモニタリング動作を実行しながら静止画撮影動作が行われる。
【００４５】
先ず、撮影者が電源スイッチ１３をＯＮにし、モードダイヤル４を撮影モード（静止画撮影モード）に設定することで、デジタルカメラが記録モードで起動する。これをＣＰＵ１１１が検知すると、ＣＰＵ１１１はモータドライバ３２に制御信号を出力して、レンズユニット７を撮影可能位置に移動させ、かつ、ＣＣＤ１２１、Ｆ／Ｅ１２０、信号処理ＩＣ１１０、ＳＤＲＡＭ３３、ＲＯＭ３０、ＬＣＤモニタ１０等を起動させる。
【００４６】
そして、レンズユニット７の撮影レンズ系を被写体に向けることにより、撮影レンズ系を通して入射される被写体画像がＣＣＤ１２１の各画素の受光面上に結像する。そして、ＣＣＤ１２１から出力される被写体画像に応じた電気信号（アナログＲＧＢ画像信号）は、ＣＤＳ１２２、ＡＧＣ１２３を介してＡ／Ｄ１２４に入力され、Ａ／Ｄ１２４により１２ビットのＲＡＷ−ＲＧＢデータに変換する。
【００４７】
このＲＡＷ−ＲＧＢデータは、信号処理ＩＣ１１０のＣＣＤＩ／Ｆ１１２に取り込まれてメモリコントローラ１１５を介してＳＤＲＡＭ３３に保存される。そして、ＳＤＲＡＭ３３から読み出されたＲＡＷ−ＲＧＢデータは、ＹＵＶ変換部１１９に入力されて表示可能な形式であるＹＵＶデータに変換された後に、メモリコントローラ１１５を介してＳＤＲＡＭ３３にＹＵＶデータが保存される。
【００４８】
そして、ＳＤＲＡＭ３３からメモリコントローラ１１５を介して読み出したＹＵＶデータは、表示出力制御部１１６を介してＬＣＤモニタ１０へ送られ、撮影画像（動画）が表示される。ＬＣＤモニタ１０に撮影画像を表示しているモニタリング時においては、ＣＣＤＩ／Ｆ１１２による画素数の間引き処理により１／３０秒の時間で１フレームを読み出している。
【００４９】
なお、このモニタリング動作時は、電子ファインダとして機能するＬＣＤモニタ１０に撮影画像（動画）が表示されているだけで、まだレリーズボタン２が押圧（半押も含む）操作されていない状態である。
【００５０】
この撮影画像のＬＣＤモニタ１０への表示によって、静止画を撮影するための構図の確認等をすることができる。なお、表示出力制御部１１６からＴＶビデオ信号として出力して、ビデオケーブルを介して外部のＴＶ（テレビ）に撮影画像（動画）を表示することもできる。
【００５１】
そして、信号処理ＩＣ１１０のＣＣＤＩ／Ｆ１１２は、取り込まれたＲＡＷ−ＲＧＢデータより、ＡＦ（自動合焦）評価値、ＡＥ（自動露出）評価値、ＡＷＢ（オートホワイトバランス）評価値（ＷＢ評価値、ＡＷＢ評価値ともいう）を算出する。
【００５２】
ＡＦ評価値は、例えば高周波成分抽出フィルタの出力積分値や、近接画素の輝度差の積分値によって算出される。合焦状態にあるときは、被写体のエッジ部分がはっきりとしているため、高周波成分が一番高くなる。これを利用して、ＡＦ動作時（合焦検出動作時）には、撮影レンズ系内の各フォーカスレンズ位置におけるＡＦ評価値を取得して、その極大になる点を合焦検出位置としてＡＦ動作が実行される。
【００５３】
ＡＥ評価値とＷＢ評価値は、ＲＡＷ−ＲＧＢデータにおけるＲＧＢ値のそれぞれの積分値から算出される。例えば、ＣＣＤ１２１の全画素の受光面に対応した画面（画像領域）を２５６ブロック（エリア）に等分割（水平１６分割、垂直１６分割）し、それぞれのブロックのＲＧＢ積算を算出する。なお、ブロックの分割数は一例であって、これに限られるものではない。
【００５４】
そして、制御部は、算出されたＲＧＢ積算値を読み出し、ＡＥ処理では、画面のそれぞれのエリア（ブロック）の輝度を算出して、輝度分布から適正な露光量を決定する。決定した露光量に基づいて、露光条件（ＣＣＤ１２１の電子シャッタ回数、絞りユニットの絞り値、ＮＤフィルタの出し入れ等）を設定する。また、ＡＷＢ処理では、ＲＧＢの分布から被写体の光源の色に合わせたＡＷＢの制御値を決定する（後述する）。このＡＷＢ処理により、ＹＵＶ変換部１１９でＹＵＶデータに変換処理するときのホワイトバランスを合わせる。なお、ＡＥ処理とＡＷＢ処理は、モニタリング時には連続的に行われている。
【００５５】
そして、モニタリング動作時に、レリーズボタンが押圧（半押しから全押し）操作される静止画撮影動作が開始されると、合焦位置検出動作であるＡＦ動作と静止画記録処理が行われる。
【００５６】
即ち、レリーズボタンが押圧（半押しから全押し）操作されると、制御部からモータドライバ３２への駆動指令により撮影レンズ系のフォーカスレンズが移動し、例えば、いわゆる山登りＡＦと称されるコントラスト評価方式のＡＦ動作が実行される。
【００５７】
ＡＦ（合焦）対象範囲が無限から至近までの全領域であった場合、撮影レンズ系のフォーカスレンズは、至近から無限、又は無限から至近までの間の各フォーカス位置に移動し、ＣＣＤＩ／Ｆ１１２で算出されている各フォーカス位置におけるＡＦ評価値を制御部が読み出す。そして、各フォーカス位置のＡＦ評価値が極大になる点を合焦位置としてフォーカスレンズを合焦位置に移動させ、合焦させる。
【００５８】
そして、ＡＥ処理が行われ、露光完了時点で、制御部からモータドライバ３２への駆動指令によりメカシャッタユニットが閉じられ、ＣＣＤ１２１から静止画用のアナログＲＧＢ画像信号が出力される。そして、モニタリング時と同様に、Ｆ／Ｅ１２０のＡ／Ｄ１２４によりＲＡＷ−ＲＧＢデータに変換される。
【００５９】
そして、このＲＡＷ−ＲＧＢデータは、信号処理ＩＣ１１０のＣＣＤＩ／Ｆ１１２に取り込まれ、ＹＵＶ変換部１１９でＹＵＶデータに変換されて、メモリコントローラ１１５を介してＳＤＲＡＭ３３に保存される。そして、このＹＵＶデータはＳＤＲＡＭ３３から読み出されて、リサイズ処理部１１３で記録画素数に対応するサイズに変換され、圧縮伸張部１１７でＪＰＥＧ形式等の画像データへと圧縮される。圧縮されたＪＰＥＧ形式等の画像データは、ＳＤＲＡＭ３３に書き戻された後にメモリコントローラ１１５を介してＳＤＲＡＭ３３から読み出され、メディアＩ／Ｆ１１８を介してメモリカード３４に保存される。
【００６０】
（ホワイトバランス制御）
図３は、ホワイトバランス制御に係るＣＰＵ１１１の制御ブロックの説明図である。ＣＰＵ１１１の各制御ブロックが実行するホワイトバランス制御について、図４に示す処理フローチャートを併せて参照しつつ説明する。
【００６１】
なお、図３に示すブロック分割手段２０１、ＲＧＢ積算手段２０２、ホワイトバランス評価値取得手段２０３、白抽出手段２０４、ホワイトバランス補正係数算出手段（１）２０５（第１のホワイトバランス補正係数算出手段）、緑評価値判定手段２０６（第１のエリア判定手段）、蛍光灯評価値判定手段２０７（第２のエリア判定手段）、上位エリア判定手段２０８、屋外加重率算出手段２０９、ホワイトバランス補正係数算出手段（２）２１０（第２のホワイトバランス補正係数算出手段）、緑エリア設定手段２１１（第１のエリア設定手段）、蛍光灯エリア設定手段２１２（第２のエリア設定手段）、重み付け手段２１３、ホワイトバランス補正手段２１４の各手段は、ＣＰＵ１１１で実行されるソフトウェア（撮像プログラム）を撮像装置で実行させることで構成でき、その実行の際に必要なデータは、例えば、ＳＤＲＡＭ３３にロードされる。
【００６２】
先ず、上述したように、ＲＧＢ積算手段２０２は、ＲＡＷ−ＲＧＢがＣＣＤＩ／Ｆ１１２に取り込まれた後、ブロック分割手段２０１により２５６ブロックに等分割された画像領域（ＣＣＤ１２１の全画素の受光面に対応した画面）について、ブロック毎に出力されるＲ値、Ｇ値、Ｂ値（単に、Ｒ、Ｇ、Ｂともいい、ＲＧＢと総称する）それぞれの積算値（Ｒ積算値、Ｇ積算値、Ｂ積算値ともいい、ＲＧＢ積算値と総称する）を取得する（Ｓ１０１：ＲＧＢ積算値取得処理）。なお、Ｒ値、Ｇ値、Ｂ値は、例えば８ビットで表現されるが、数量化方法については特に限られるものではない。
【００６３】
次に、ホワイトバランス評価値取得手段２０３は、取得した各ブロックのＲＧＢ積算値から１画素あたりのＲＧＢそれぞれの平均値（Ｒ平均値、Ｇ平均値、Ｂ平均値ともいい、ＲＧＢ平均値と総称する）を算出し、ＷＢ評価値（Ｇ／Ｒ、Ｇ／Ｂ）およびＡＥ評価値（Ｙ）を算出する（Ｓ１０２：ＷＢ評価値、ＡＥ評価値生成処理）。ここで、ＷＢ評価値（Ｇ／Ｒ、Ｇ／Ｂ）およびＡＥ評価値（Ｙ）の算出は、例えば、次式（１）〜（３）により算出することができる。
Ｇ／Ｒ＝（Ｇ平均値×１００）／Ｒ平均値      ・・・（１）
Ｇ／Ｂ＝（Ｇ平均値×１００）／Ｂ平均値      ・・・（２）
Ｙ＝（Ｒ平均値×３＋Ｇ平均値×６＋Ｂ平均値）／１０      ・・・（３）
なお、ＷＢ評価値（Ｇ／Ｒ、Ｇ／Ｂ）およびＡＥ評価値（Ｙ）の算出方法は、上記の例に限られるものではなく、その他、公知または新規の算出方法によるものであっても良い。
【００６４】
また、白抽出手段２０４は、ＷＢ評価値（Ｇ／Ｒ、Ｇ／Ｂ）に基づいて、予め設定してある白抽出範囲内であれば白抽出ブロック（白ブロック）として記憶する（Ｓ１０３：白抽出処理）。なお、白抽出処理の具体的な処理方法は、特に限られるものではなく、公知または新規の白ブロック抽出方法を用いればよいが、例えば、図５に示すように、Ｇ／Ｒをｘ軸、Ｇ／Ｂをｙ軸とする２次元の色座標上における黒体輻射の特性曲線（黒体輻射カーブ）（図５中に符号ｃで示す）に沿った複数の楕円若しくは矩形の枠を白検出枠として設定し、ＷＢ評価値がこの白検出枠に含まれている場合に白抽出ブロックとして検出することとすればよい。なお、図５の例では、白検出範囲は複数の楕円枠で示され、個々の楕円枠が各光源の白検出範囲に対応する白検出枠に対応している。
【００６５】
次に、ホワイトバランス補正係数算出手段（１）２０５は、白抽出処理（Ｓ１０３）にて抽出した白抽出ブロック数が所定数以上あるかどうかを判断し、所定数以上ある場合、数式１を用いて、各白抽出ブロックのＷＢ評価値（Ｇ／Ｒ、Ｇ／Ｂ）に対して該当ブロックのＡＥ評価値（Ｙ）による重み付けを行った後、積算して一画素あたりのＧ／Ｒ、Ｇ／Ｂ（第１のホワイトバランス補正係数）を算出する（Ｓ１０４：高輝度加重処理）。
【数１】
0005915242.tif 000002
【００６６】
なお、一定数以上の白抽出ブロック数が存在しない場合は、全てのブロックのＷＢ評価値（Ｇ／Ｒ、Ｇ／Ｂ）を積算し、一画素あたりのＧ／Ｒ、Ｇ／Ｂを算出し、求めた一画素あたりのＧ／Ｒ、Ｇ／Ｂをそれぞれ平均したものをＷＢ補正係数Ｒｇａｉｎ、Ｂｇａｉｎとし、ホワイトバランス補正係数乗算処理（Ｓ１０９）へ移行する。
【００６７】
次に、緑評価値判定手段２０６は、ＷＢ評価値（Ｇ／Ｒ、Ｇ／Ｂ）に基づいて緑エリア判定を行う（Ｓ１０５：緑評価値判定処理）。緑評価値判定処理は、ＷＢ評価値のＧ／Ｒ、Ｇ／Ｂそれぞれについて、所定の閾値を設け、双方が閾値を超える評価値を、緑評価値と判定する（個数を取得する）。なお、緑評価値と判定されるエリアは、緑エリア設定手段２１１により予め設定される。
【００６８】
例えば、図５に示すように、Ｇ／Ｒをｘ軸、Ｇ／Ｂをｙ軸とする２次元の色座標上で、Ｇ／ＲおよびＧ／Ｂ双方の値が大きい（所定の閾値Ｘ，Ｙを超える）領域（図５中にＡで示す斜線部分である緑エリア）にある評価値を緑評価値と判定する。判定式は、Ｇ／Ｒ≧Ｘ  、且つ  Ｇ／Ｂ≧Ｙ  である。
【００６９】
次に、蛍光灯評価値判定手段２０７は、ＷＢ評価値（Ｇ／Ｒ、Ｇ／Ｂ）に基づいて蛍光灯エリア判定を行う（Ｓ１０６：蛍光灯評価値判定処理）。図６に蛍光灯エリアの模式図を示す。図６中にＢで示す斜線部分が白色蛍光灯エリア、Ｃで示す斜線部分が昼白色蛍光灯エリアであり、この部分に位置する評価値を蛍光灯評価値と判定する（個数を取得する）。白色蛍光灯判定の判定式は数式２、昼白色蛍光灯判定の判定式は数式３で示される。なお、蛍光灯評価値と判定されるエリアは、蛍光灯エリア設定手段２１２により予め設定される。
【数２】
0005915242.tif 000003
【数３】
0005915242.tif 000004
【００７０】
次に、上位エリア判定手段２０８は、緑エリアＡと蛍光灯エリアＢ，Ｃの３つのエリアうち、判定された評価値の個数が多い上位２つのエリア（第１選択エリア、第２選択エリアという）を選択する。また、屋外加重率算出手段２０９は、選択されたエリアの評価値数に基づいて、数式４により屋外加重率を算出する（Ｓ１０７：上位エリア判定、屋外加重率算出処理）。なお、屋外加重率とは、屋外のホワイトバランス目標（晴天屋外での撮影に適したホワイトバランス設定条件）に近づけるための値であって、屋外加重率が高くなるに従って屋外に最適なＷＢが設定されるものである。
【数４】
0005915242.tif 000005
【００７１】
数式４について説明する。統計的に、蛍光灯下では１つの蛍光灯エリアにＷＢ評価値が集中するのに対して、屋外で木や花などの緑を撮影した場合、緑エリアと蛍光灯エリアの複数エリアに跨ってＷＢ評価値が分布される（緑に対応するＷＢ評価値が緑エリアと蛍光灯エリアの両方に分散する）ため、数式４において、上位２つのエリアに評価値が広く分布された時に、屋外加重率最大となるようにしている。例えば、上位２つのエリア評価値数の割合が５０％ずつで屋外加重率が最大になるように調整係数ｋを２５とすることができる。また、上位２つのエリア評価値数の割合を掛け合わせることで片方のエリアの評価値数が少ないとき（屋外での緑シーンの確立が低い時）は屋外加重率が低くなるようにしている。
【００７２】
より具体的には、緑エリアとして判定されたエリアＡと蛍光灯エリアとして判定されたエリアＢおよびＣから、ＷＢ評価値の個数が多い上位２つのエリアを選択することで、撮影シーンが屋外で緑を撮影した場合においても、少なくとも上位２つのエリアのどちらかには緑エリアＡが含まれることになり、かつ蛍光灯エリアＢまたはＣに分布してしまった緑に対応するＷＢ評価値についてもＷＢ補正係数を求めるために用いることとなるため、室内蛍光灯に対応するＷＢ補正係数になってしまうことを防ぎ、屋外の緑シーンに対応するＷＢ補正係数を精度よく求めることが可能となるものである。
【００７３】
上位１つのエリアのみを選択するようにすると、選択されなかった方のエリアに分布する、緑に対応するＷＢ評価値を拾いきれず、屋外加重率が下がってしまうことに繋がる可能性があるため、上位２つのエリアを選択することにより、この問題を回避することができる。
【００７４】
また、撮影シーンが屋外ではない室内蛍光灯下のシーンの場合では、上位２つのエリアとして蛍光灯エリアＢ，Ｃが選択されることで、室内蛍光灯に対応するＷＢ補正係数を正しく求めることが可能となる。
【００７５】
この屋外加重率算出処理によれば、ＷＢ評価値の分布のみに基づいて屋外加重率を算出しているので、従来方式に比べ、処理量を低減して処理時間を短くすることができる。また、明るさ情報によらず屋外の緑シーンでも安定したＷＢを行うことが可能となる。
【００７６】
さらに、ホワイトバランス補正係数算出手段（２）２１０は、この算出した屋外加重率に基づいて、数式５に示すように、算出した一画素あたりのＧ／Ｒ、Ｇ／Ｂと、屋外ＷＢ目標との加重平均を行うことでホワイトバランス補正係数Ｒｇａｉｎ，Ｂｇａｉｎ（第２のホワイトバランス補正係数）を求める（Ｓ１０８：屋外加重処理）。屋外ＷＢ目標とは、高色温度光源に対応したホワイトバランス係数であって、晴天屋外で最適なホワイトバランスとなるような係数（予め記憶されている値）である。
【数５】
0005915242.tif 000006
【００７７】
最後に、ホワイトバランス補正手段２１４は、画面全体のＲ、Ｂ画素それぞれに対して、ＷＢ補正係数Ｒｇａｉｎ、Ｂｇａｉｎを掛けることでホワイトバランス補正を行うものである（Ｓ１０９：ホワイトバランス補正係数乗算処理）。
【００７８】
なお、本実施形態では、緑に対応するＷＢ評価値が蛍光灯エリアに分布されることについて説明したが、例えば、光源がＬＥＤである場合であっても、所定範囲の色温度を有するＬＥＤでは、緑に対応するＷＢ評価値がこのＬＥＤに対応するエリアに分布されることも考えられる。したがって、屋外加重率を求める際に用いるエリアは、蛍光灯エリアに限られるものではなく、デジタル画像上の屋外の緑の被写体に対応するホワイトバランス評価値が分布する、白抽出範囲に相当する他のエリアであれば良い。
【００７９】
また、本実施形態では、蛍光灯エリアを、白色蛍光灯エリアＢと昼白色蛍光灯エリアＣの２つのエリアについて説明したが、蛍光灯エリア数はこれに限られるものではなく、２以上設定されるものであればよい。また、緑エリアＡと蛍光灯エリアＢ、Ｃから上位２つのエリアを選択する例について説明したが、蛍光灯エリアの設定数に応じて選択数は適宜選択されるものであればよい。
【００８０】
また、本実施形態では、算出した屋外加重率をホワイトバランス補正に用いているが、屋外加重率を算出する上記処理は、すなわち、ホワイトバランス評価値の分布を用いて画像の撮影シーンが屋外か否かに関する屋外情報を取得する処理（屋外判定）であるため、算出した屋外加重率は、ホワイトバランス制御に限らず、屋外判定を必要とする撮影シーンの自動認識処理やＡＦ処理などの他の処理に適用することができることは勿論である。
【００８１】
屋外加重率を算出する上記処理によれば、処理負荷が少なく高精度で安定した屋外加重率が求められるため、ホワイトバラン補正に限らず、屋外か否かに関する情報が必要な他の処理においても、有効に屋外加重率を利用することができる。
【００８２】
以上説明した本実施形態に係る画像処理装置によれば、処理負荷が少なく、高精度で安定した、シーンの屋外判定を行うことができる。また、簡易的に良好なホワイトバランス補正を行うことが可能となる。
【００８３】
［第２の実施形態］
以下、本実施形態に係る画像処理装置の他の実施形態について説明する。なお、上記第１の実施形態と同様の点についての説明は適宜省略する。
【００８４】
上記第１の実施形態では、緑エリアＡと蛍光灯エリアＢ，Ｃで判定された評価値の個数が多い上位２つのエリアを選択し、当該エリアの評価値数を基に屋外加重率を算出したが、本実施形態で蛍光灯エリアと判定された評価値の個数に対して重み付けを下げる処理を行うことで、室内蛍光灯に対応するＷＢ補正係数をさらに良好に求めることが可能となる。
【００８５】
以下、図７に示す処理フローチャートを参照して説明する。先ず、ＲＧＢ積算値取得処理（Ｓ２０１）から蛍光灯評価値判定処理（Ｓ２０６）までの一連の処理については、第１の実施形態（Ｓ１０１〜Ｓ１０６）と同様に行う。
【００８６】
本実施形態では、蛍光灯評価値判定手段２０７による蛍光灯評価値判定処理（Ｓ２０６）の後、重み付け手段２１３は蛍光灯エリアと判定された評価値数に対して重み付けを行う（Ｓ２０７：蛍光灯評価値数重み付け処理）。
【００８７】
蛍光灯エリアに対する重み付け（重み係数）は、例えば、０．５とすることができる。この場合、例えば、上記数式３で白色蛍光灯エリアＢと判定された評価値数が１００、上記数式４で昼白色蛍光灯エリアＣと判定された評価値数が１２０であるとすると、重み付け後の評価値数はそれぞれ５０、６０となる。
【００８８】
このように、蛍光灯エリアに対する重み付けを１．０より下にすることで被写体によっては室内蛍光灯シーンでも蛍光灯エリアを含む複数のエリアに評価値が跨り屋外加重率が高くなる問題を防ぐことができる。なお、蛍光灯エリアに対する重み付けは０．５に限定されるものではなく、１．０以下の範囲で適宜設定することが可能である。
【００８９】
以下、上位エリア判定、屋外加重率算出処理（Ｓ２０８）〜ホワイトバランス補正係数算出処理（Ｓ２１０）は、第１の実施形態（Ｓ１０７〜Ｓ１０９）と同様に行う。
【００９０】
以上説明したように、第２の実施形態に係る画像処理装置によれば、重み付けされた蛍光灯エリアの評価値数を用いて屋外加重率の算出を行うことで、室内蛍光灯に対応するＷＢ補正係数をさらに良好に求めることが可能となり、蛍光灯エリアと緑エリアに跨って評価値が分布される蛍光灯シーン、屋外の緑シーンでも安定してシーンの屋外判定、ホワイトバランス補正が可能となる。
【００９１】
以上説明した画像処理装置によるホワイトバランス制御は、プログラム（画像処理プログラム）で実行させることもできる。また、当該画像処理プログラムをコンピュータで実行可能に記録した記録媒体の態様にも適用される。
【００９２】
尚、上述の実施形態は本発明の好適な実施の例ではあるがこれに限定されるものではなく、本発明の要旨を逸脱しない範囲において種々変形実施可能である。
【符号の説明】
【００９３】
１  サブＬＣＤ
２  レリーズシャッター（ＳＷ１）
３  ストロボ発光部
４  モードダイヤル（ＳＷ２）
５  測距ユニット
６  リモコン受光部
７  レンズユニット
８  ＡＦＬＥＤ
９  ストロボＬＥＤ
１０  ＬＣＤモニタ
１１  光学ファインダ
１２  ズームボタンＴＥＬＥ（ＳＷ４）
１３  電源スイッチ（ＳＷ１３）
１４  ズームボタンＷＩＤＥ（ＳＷ３）
１５  セルフタイマ／削除スイッチ（ＳＷ５）
１６  メニュースイッチ（ＳＷ６）
１７  ＯＫスイッチ（ＳＷ１２）
１８  左／画像確認スイッチ（ＳＷ１１）
１９  下／マクロスイッチ（ＳＷ１０）
２０  上／ストロボスイッチ（ＳＷ７）
２１  右スイッチ（ＳＷ８）
２２  ディスプレイスイッチ（ＳＷ９）
２３  メモリカードスロットル
３０  ＲＯＭ
３１  操作部
３２  モータドライバ
３３  ＳＤＲＡＭ
３４  メモリカード
１１０  信号処理ＩＣ
１１１  ＣＰＵ
１１２  ＣＣＤ  Ｉ／Ｆ
１１３  リサイズ処理部
１１５  メモリコントローラ
１１６  表示出力制御部
１１７  圧縮伸長部
１１８  メディアＩ／Ｆ
１１９  ＹＵＶ変換部
１２０  Ｆ／Ｅ
１２１  ＣＣＤ
１２２  ＣＤＳ
１２３  ＡＧＣ
１２４  Ａ／Ｄ変換機
１２５  タイミングジェネレータ
２０１  ブロック分割手段
２０２  ＲＧＢ積算手段
２０３  ホワイトバランス評価値取得手段
２０４  白抽出手段
２０５  ホワイトバランス補正係数算出手段（１）
２０６  緑評価値判定手段
２０７  蛍光灯評価値判定手段
２０８  上位エリア判定手段
２０９  屋外加重率算出手段
２１０  ホワイトバランス補正係数算出手段（２）
２１１  緑エリア設定手段
２１２  蛍光灯エリア設定手段
２１３  重み付け手段
２１４  ホワイトバランス補正手段
ｃ  黒体輻射カーブ
Ａ  緑エリア
Ｂ  白色蛍光灯エリア
Ｃ  昼白色蛍光灯エリア
【先行技術文献】
【特許文献】
【００９４】
【特許文献１】特開２００８−３０１２７９号公報
【特許文献２】特開２００６−１７４２８１号公報
【特許文献３】特開２００４−２７４３６７号公報
【図１】
0005915242.tif 000007
【図２】
0005915242.tif 000008
【図３】
0005915242.tif 000009
【図４】
0005915242.tif 000010
【図５】
0005915242.tif 000011
【図６】
0005915242.tif 000012
【図７】
0005915242.tif 000013